(57)【特許請求の範囲】
【請求項１】
巻き軸を中心として１本の導線を巻回して形成される複数の単位コイル部が、該巻き軸方向に並んでおり、各単位コイル部は、互いに異なる内周長を有する複数の単位巻部から構成され、内周長の大きな単位巻部の内側に内周長の小さな単位巻部の少なくとも一部が押し込まれることにより、各単位コイル部が少なくとも一部で多層化されており、各単位巻部は、それぞれ円弧状の複数の角部を有するループ状の巻き線経路に沿って巻回されている空芯コイルにおいて、
各単位コイル部を構成する複数の単位巻部において前記巻き軸に対して同じ位相角度に形成される複数の角部は、同じ位置に曲率中心を有して半径の異なる複数の円弧線に沿って延び、内側の単位巻部の角部と外側の単位巻部の角部とが互いに密着していることを特徴とする空芯コイル。
【請求項２】
巻き軸を中心として１本の導線を巻回して形成される複数の単位コイル部が、該巻き軸方向に並んでおり、各単位コイル部は、互いに異なる内周長を有する複数の単位巻部から構成され、内周長の大きな単位巻部の内側に内周長の小さな単位巻部の少なくとも一部が押し込まれることにより、各単位コイル部が少なくとも一部で多層化されており、各単位巻部は、それぞれ円弧状の複数の角部を有するループ状の巻き線経路に沿って巻回されている空芯コイルの巻線方法において、
円筒状の外周面を有する軸体と交叉する直線の移行路に沿って所定距離だけ導線を移送して、該軸体の外周面に導線を沿わせる第１工程と、
前記導線を押圧すべき押圧部材を、前記軸体を中心とする円周経路に沿って回動させることにより、導線を軸体の外周面に巻き付けて、円弧状の角部を形成する第２工程
とを有し、第１工程と第２工程を前記角部の数だけ繰り返すことによって１つの単位巻部を形成し、
１つの単位コイル部を形成する過程で、各単位巻部の形成に際して軸体の外径を変化させることにより、１つの単位コイル部を構成する複数の単位巻部において前記巻き軸に対して同じ位相角度に形成される複数の角部を、同じ位置に曲率中心を有して半径の異なる複数の円弧線に沿う円弧状に形成することを特徴とする空芯コイルの巻線方法。
【請求項３】
前記軸体は、巻き軸と同心軸上に配備された複数の軸部から構成され、中心の軸部に対して他の軸部を昇降させることによって、該軸体の外径を変化させる請求項２に記載の空芯コイルの巻線方法。
【請求項４】
各単位コイル部を構成すべき複数の単位巻部が前記導線の直径に一致するピッチで巻き軸方向へずれながら連続して形成されている空芯コイルの中間製品を作製した後、該中間製品に対して巻き軸方向の両側から圧縮力を加えることによって、各単位コイル部を構成する複数の単位巻部の内、内周長の大きな単位巻部の内側に内周長の小さな単位巻部の少なくとも一部を押し込む第３工程を有している請求項２又は請求項３に記載の空芯コイルの巻線方法。
【請求項５】
巻き軸を中心として１本の導線を巻回して形成される複数の単位コイル部が、該巻き軸方向に並んでおり、各単位コイル部は、互いに異なる内周長を有する複数の単位巻部から構成され、内周長の大きな単位巻部の内側に内周長の小さな単位巻部の少なくとも一部が押し込まれることにより、各単位コイル部が少なくとも一部で多層化されており、各単位巻部は、それぞれ円弧状の複数の角部を有するループ状の巻き線経路に沿って巻回されている空芯コイルの巻線装置において、
円筒の外周面を有する軸体と、
前記軸体と交叉する直線の移行路に沿って導線を移送して、軸体の外周面に導線を沿わせる導線移送機構と、
導線を押圧すべき押圧部材を、軸体を中心とする円周経路に沿って回動させることにより、導線を軸体の外周面に沿って屈曲させる曲げ機構
とを具え、前記軸体は、巻き軸と同心軸上に配備された複数の軸部から構成され、該軸体は、中心の軸部に対して他の軸部をそれぞれ巻き軸に沿って往復させる往復駆動機構に繋がっていることを特徴とする空芯コイルの巻線装置。
【請求項６】
前記導線移送機構は、軸体と直交する方向に前後移動する第１往復台上に配備され、前記曲げ機構は、前記軸体を中心として回転する回転台と、該回転台上に設けられて前記軸体と直交する方向に前後移動する第２往復台とを具え、該第２往復台上に前記押圧部材が取り付けられている請求項５に記載の空芯コイルの巻線装置。
【請求項７】
前記軸体を包囲して、前記曲げ機構によってループ状に屈曲された導線の回動をガイドするガイド板が設置されている請求項５又は請求項６に記載の空芯コイルの巻線装置。
【請求項８】
前記ガイド板の表面は、前記軸体と直交する面に対して単位巻部のリード角度に応じた傾斜を有している請求項７に記載の空芯コイルの巻線装置。
【発明の詳細な説明】
【技術分野】
【０００１】
本発明は、複数のコイル層からなる空芯コイルの巻線方法及び巻線装置に関するものである。
【背景技術】
【０００２】
従来、図１７に示す如く、導線(22)を渦巻き状に巻回してなる単位コイル部(23)が巻き軸方向に繰り返し並んだ空芯コイル(２)が知られている。
【０００３】
そして、この様な空芯コイル(２)の製造方法として、図１８(ａ)の如く、導線を渦巻き状に巻回することにより、互いに異なる内周長を有する第１単位巻部(25)、第２単位巻部(26)及び第３単位巻部(27)を、巻き軸方向に連続して形成すると共に、これら複数の単位巻部(25)(26)(27)からなる単位コイル部を、巻き軸方向に連続して形成して、空芯コイルの中間製品(20)を作製した後、該中間製品(20)を巻き軸方向に圧縮して、図１８(ｂ)の如く、第３単位巻部(27)の内側に第２単位巻部(26)の少なくとも一部を押し込み、該第２単位巻部(26)の内側に第１単位巻部(25)の少なくとも一部を押し込むことにより、複数のコイル層(図示する例では３層)からなる空芯コイルの完成品(21)を得る方法が知られている(特許文献１)。
【０００４】
図１８(ａ)に示す中間製品(20)を作製する方法としては、該中間製品(20)の空洞形状に応じた段付きの巻線治具を用いる方法(特許文献１)や、各単位巻部の巻線工程毎に巻芯部材の形態を変化させつつ該巻芯部材の周囲に導線を巻回する自動巻線機が知られている(特許文献２)。
【先行技術文献】
【特許文献】
【０００５】
【特許文献１】特開２００３−８６４３８号公報
【特許文献２】特開２００６−３３９４０７号公報
【発明の概要】
【発明が解決しようとする課題】
【０００６】
しかしながら、段付きの巻線治具を用いる方法では、巻線作業が手作業となるため、生産効率が悪い問題がある。
又、各単位巻部の巻線工程毎に巻芯部材の形態を変化させつつ該巻芯部材の周囲に導線を巻回する自動巻線機においては、各単位巻部の巻線工程毎に巻芯部材の形態を変化させるための構成が複雑となる問題がある。
【０００７】
そこで本発明の目的は、簡易な構成で、互いに異なる内周長を有する複数の単位巻部からなる単位コイル部が巻き軸方向に連続して形成されている空芯コイルを作製することが出来る、空芯コイルの巻線方法及び巻線装置を提供することである。
【課題を解決するための手段】
【０００８】
本発明に係る空芯コイルにおいては、巻き軸を中心として１本の導線を巻回して形成される複数の単位コイル部が、該巻き軸方向に並んでおり、各単位コイル部は、互いに異なる内周長を有する複数の単位巻部から構成され、内周長の大きな単位巻部の内側に内周長の小さな単位巻部の少なくとも一部が押し込まれることにより、各単位コイル部が少なくとも一部で多層化されており、各単位巻部は、それぞれ円弧状の複数の角部を有するループ状の巻き線経路に沿って巻回されている。
ここで、各単位コイル部を構成する複数の単位巻部は、前記巻き軸に対して同じ位相角度に形成される複数の角部が、同じ位置に曲率中心を有する円弧状に形成されている。
【０００９】
本発明に係る空芯コイルの巻線方法は、巻き軸を中心として１本の導線を巻回して形成される複数の単位コイル部が、該巻き軸方向に並んでおり、各単位コイル部は、互いに異なる内周長を有する複数の単位巻部から構成され、内周長の大きな単位巻部の内側に内周長の小さな単位巻部の少なくとも一部が押し込まれることにより、各単位コイル部が少なくとも一部で多層化されており、各単位巻部は、それぞれ円弧状の複数の角部を有するループ状の巻き線経路に沿って巻回されている空芯コイルの巻線方法であって、
円筒状の外周面を有する軸体(５)と交叉する直線の移行路に沿って所定距離だけ導線(22)を移送して、軸体(５)の外周面に導線(22)を沿わせる第１工程と、
導線(22)を押圧すべき押圧部材(61)を、軸体(５)を中心とする円周経路に沿って回動させることにより、導線(22)を軸体(５)の外周面に所定角度だけ巻き付けて、円弧状の角部を形成する第２工程
とを有し、第１工程と第２工程を前記角部の数だけ繰り返すことによって１つの単位巻部を形成し、１つの単位コイル部を形成する過程で、各単位巻部の形成に際して軸体(５)の外径を変化させることにより、１つの単位コイル部を構成する複数の単位巻部において、前記巻き軸に対して同じ位相角度に形成される複数の角部を、同じ位置に曲率中心を有して半径の異なる複数の円弧線に沿う円弧状に形成する。
【００１０】
具体的態様において、前記複数の単位巻部からなる単位コイル部が巻き軸方向に連続して形成されている空芯コイルが作製された後、該空芯コイルを巻き軸方向に圧縮して、各単位コイルを構成する複数の単位巻部の内、内周長の大きな単位巻部の内側に内周長の小さな単位巻部の少なくとも一部を押し込む第３工程を有している。
これによって、各単位コイル部が少なくとも一部で多層化されることになる。
【００１１】
本発明に係る空芯コイルの巻線装置は、巻き軸を中心として１本の導線を巻回して形成される複数の単位コイル部が、該巻き軸方向に並んでおり、各単位コイル部は、互いに異なる内周長を有する複数の単位巻部から構成され、内周長の大きな単位巻部の内側に内周長の小さな単位巻部の少なくとも一部が押し込まれることにより、各単位コイル部が少なくとも一部で多層化されており、各単位巻部は、それぞれ円弧状の複数の角部を有するループ状の巻き線経路に沿って巻回されている空芯コイルの巻線装置であって、
軸体(５)と、
前記軸体(５)に対して交叉する直線の移行路に沿って導線(22)を移送して、軸体(５)の外周面に導線(22)を沿わせる導線移送機構(４)と、
導線(22)を押圧すべき押圧部材(61)を、軸体(５)を中心とする円周経路に沿って回動させることにより、導線(22)を軸体(５)の外周面に沿って屈曲させる曲げ機構(６)
とを具えている。
【００１２】
具体的態様において、前記軸体(５)は、巻き軸と同心軸上に配備された複数の軸部(51)(52)(53)から構成され、該軸体(５)は、中心の軸部(51)に対して他の軸部(52)(53)をそれぞれ巻き軸に沿って往復移動させる往復駆動機構に繋がっている。
【００１３】
又、他の具体的態様においては、前記軸体(５)を包囲して、曲げ機構(６)によってループ状に屈曲された導線(22)をガイドするガイド板(９)が設置されている
【００１４】
更に具体的な態様において、前記ガイド板(９)の表面は、前記軸体(５)と直交する面に対して単位巻部のリード角度に応じた傾斜を有している。
【発明の効果】
【００１５】
本発明に係る空芯コイルの巻線方法及び巻線装置によって製造される空芯コイルによれば、各単位コイル部を構成する複数の単位巻部において、巻き軸に対して同じ位相角度に形成される複数の角部が、同じ位置に曲率中心を有する円弧状に形成されているので、各単位コイル部を少なくとも一部で多層化したとき、多層化部にて、内側の単位巻部と外側の単位巻部との間の隙間が可及的にゼロに近づき、この結果、導線の占積率が増大する。
【図面の簡単な説明】
【００１６】
【図１】図１は、本発明に係る空芯コイルの巻線装置の全体を示す平面図である。
【図２】図２は、該巻線装置の全体を示す正面図である。
【図３】図３は、第１往復台の平面図である。
【図４】図４は、軸体及びその周辺機構の正面図である。
【図５】図５は、軸体の断面図である。
【図６】図６は、軸体及びその周辺機構の平面図である。
【図７】図７は、曲げ機構の正面図である。
【図８】図８は、軸体及び曲げ機構の斜視図である。
【図９】図９は、軸体の動作を説明する斜視図である。
【図１０】図１０は、軸体と空芯コイル中間製品の寸法関係を説明する断面図である。
【図１１】図１１は、空芯コイル中間製品の角部を拡大して示す平面図である。
【図１２】図１２は、空芯コイルの巻線工程の第１段階を説明する一連の平面図である。
【図１３】図１３は、空芯コイルの巻線工程の第２段階を説明する一連の平面図である。
【図１４】図１４は、空芯コイルの巻線工程の第３段階を説明する一連の平面図である。
【図１５】図１５は、空芯コイルの巻線工程の第４段階を説明する一連の平面図である。
【図１６】図１６は、空芯コイルの巻線工程の第５段階を説明する一連の平面図である。
【図１７】図１７は、空芯コイルの完成状態の斜視図である。
【図１８】図１８は、空芯コイルの中間製品から完成品を得る圧縮工程を示す図である。
【発明を実施するための形態】
【００１７】
以下、図１８(ａ)に示す空芯コイルの中間製品(20)を作製するための巻線方法及び巻線装置につき、図面に沿って具体的に説明する。尚、図１において、導線(22)は水平面上を直線に沿って右から左へ移送される。
【００１８】
本発明に係る巻線装置は、図１に示す如く、水平の表面を有するベース(１)上に、導線(22)の移行路に対して直交する前後方向にスライド可能な第１往復台(11)が配備されると共に、第１往復台(11)の左側には、鉛直上方に突出する軸体(５)と、軸体(５)を中心として９０度を超える角度範囲で回転が可能な回転台(12)とが配備されている。
【００１９】
回転台(12)上には、図１に示す回転台(12)の初期位置にて前後方向にスライドが可能な第２往復台(13)が配備されている。
第２往復台(13)には、図６に示す如く軸体(５)側の端部に、導線(22)を押圧することが可能な押圧部材(61)が取り付けられている。
【００２０】
第１往復台(11)は、図３に示す如く左右の端部に一対の往復ガイド機構(71)(72)を具え、第１往復駆動機構(７)によって前後に任意距離だけ移動させることが出来る。
又、第２往復台(13)は、図１に示す第２往復駆動機構(８)によって前後に任意距離だけ移動させることが出来る。
回転台(12)には、図４に示すベルト機構(63)を介してモータ(62)が連繋している。
これによって、軸体(５)の外周面に導線(22)を巻き付けるための曲げ機構(６)が構成される。
【００２１】
第１往復台(11)には、導線(22)の上流側となる右側の端部に、導線(22)を上流側から下流側へ向けて繰り出す導線繰り出し機構(３)が連結されている。
【００２２】
第１往復台(11)上には、導線(22)の移行路に沿って導線移送機構(４)が配備されている。導線移送機構(４)は、第１把持機構(41)と第２把持機構(42)とを具えている。第１把持機構(41)には、図２に示すシャフト(43)を介してモータ(44)が連結されており、モータ(44)の駆動によって、第１把持機構(41)を導線(22)の移行路に沿って往復移動させる。
【００２３】
第１把持機構(41)は、導線(22)を把持した状態で下流位置から上流側へ移動することによってその移動距離に応じて導線(22)を移送し、その後、導線(22)の把持を解除した状態で元の下流位置へ復帰するものである。
第２把持機構(42)は、第１把持機構(41)による導線(22)の把持期間中は導線(22)の把持を解除し、第１把持機構(41)による導線(22)の把持解除中は導線(22)を把持するものである。
【００２４】
軸体(５)は、導線(22)の移行路に沿って配備されており、図５に示す如く、巻き軸Ｓを中心として同軸上に、丸軸状の第１軸部(51)と、円筒状の第２軸部(52)と、円筒状の第３軸部(53)とを具え、第１軸部(51)は、図４に示す第１往復駆動機構(54)に繋がり、第２軸部(52)及び第３軸部(53)は、図５に示す第２往復駆動機構(55)及び第３往復駆動機構(56)にそれぞれ繋がっている。
【００２５】
これによって、図９(ａ)の如く第１軸部(51)のみを突出させた第１状態と、図９(ｂ)の如く第１軸部(51)及び第２軸部(52)を突出させた第２状態と、図９(ｃ)の如く第１軸部(51)、第２軸部(52)及び第３軸部(53)を突出させた第３状態とを実現することが出来る。
【００２６】
図１０及び図１１に示す如く、軸体(５)の第２軸部(52)は、第１軸部(51)の外径に対して導線の外径の２倍を加算した外径を有し、第３軸部(53)は、第２軸部(52)の外径に対して導線の外径の２倍を加算した外径を有している。
【００２７】
曲げ機構(６)を構成する回転台(12)は、図６及び図８に示す如く、導線の巻き軸Ｓを中心とする円周線Ｒに沿って往復移動する。
回転台(12)上の第２往復台(13)は、図７及び図８に示す如く、導線の巻き軸Ｓに対して接近離間する直線経路Ｐに沿って往復移動する。
これによって、曲げ機構(６)を構成する押圧部材(61)は、軸体(５)に対して接近離間すると共に、軸体(５)を中心として回動することになる。
【００２８】
押圧部材(61)には、図８に示す如く、導線(22)の移行路に沿って延びる凹溝(60)が形成されている。
又、軸体(５)の近傍位置には、Ｕ字状のガイド板(９)が設置されている。
【００２９】
上記巻線装置による巻線工程においては、図８に示す如く、第１往復台(11)が前進することによって、導線(22)が軸体(５)の第１軸部(51)、第２軸部(52)若しくは第３軸部(53)の外周面に沿う位置まで平行移動すると共に、第２往復台(13)が前進することによって、押圧部材(61)が導線(22)を押圧することが可能な位置まで前進した状態で、先ず、導線(22)が所定距離だけ移送される。該導線(22)の移送距離は、形成せんとする単位巻部における４辺の各辺の長さに応じた大きさに設定される。
【００３０】
次に、押圧部材(61)が、導線(22)に沿った初期位置から９０度を超える所定の回転角度θだけ回転することによって、導線(22)を軸体(５)の第１軸部(51)、第２軸部(52)若しくは第３軸部(53)の外周面に沿わせて９０度だけ屈曲させる。
尚、押圧部材(61)の回転角度θを９０度よりも僅かに大きく設定することにより、導線(22)はスプリングバックによって９０度の屈曲角度を有することになる。
この導線(22)の屈曲過程で、軸体(５)よりも先へ延びている導線(22)は、ガイド板(９)の表面に沿って摺動する。
【００３１】
ここで、ガイド板(９)は、単位巻部のリード角に応じた傾斜角度を有しており、該ガイド板(９)の表面に沿って導線(22)が摺動することによって、該導線(22)に対して所定のリード角が付与される。
【００３２】
上述の導線(22)の移送工程と折り曲げ工程とを４回繰り返すことによって、４つの円弧状の角部を有する１つの単位巻部が形成される。
そして、導線(22)を巻き付けるべき軸体(５)の軸部を外径の異なる他の軸部に変更すると共に、該軸部の外径に応じて、第１往復台(11)と第２往復台(13)を前後に移動させた状態で、同様に導線(22)の移送工程と折り曲げ工程とを４回繰り返すことによって、４つの円弧状の角部を有する次の単位巻部が形成される。
【００３３】
この様にして、内周長の異なる３つの単位巻部が巻回され、これによって１つの単位コイル部が形成される。
ここで、図１０に示す如く、第１単位巻部(25)を形成する際には、軸体(５)の第１軸部(51)のみを突出させてその外周面に導線を巻き付け、第２単位巻部(26)を形成する際には、第２軸部(52)を突出させてその外周面に導線を巻き付け、第３単位巻部(27)を形成する際には、第３軸部(53)を突出させてその外周面に導線を巻き付ける。
【００３４】
これによって、図１１に示す如く、軸体(５)の第１軸部(51)の外周面に導線を巻き付けて形成される第１単位巻部(25)の角部と、第２軸部(52)の外周面に導線を巻き付けて形成される第２単位巻部(26)の角部と、第３軸部(53)の外周面に導線を巻き付けて形成される第３単位巻部(27)の角部とが、巻き軸Ｓと一致する共通の曲率中心を有することになる。
【００３５】
更に、上述の単位コイル部の形成工程を繰り返すことによって、図１０に示す如く第１単位巻部(25)、第２単位巻部(26)及び第３単位巻部(27)を１つの単位コイル部(23)として、該単位コイル部(23)を繰り返し形成した中間製品(20)が得られることになる。
【００３６】
図１２〜図１６は、本発明に係る巻線装置の一連の動作を表わしている。
図１２のステップＳ１では、導線(22)を第１軸部(51)の外周面に沿わせると共に、該導線(22)に押圧部材(61)を沿わせる。
次に、ステップＳ２にて導線(22)を所定距離(単位巻部の長辺の長さ)だけ移送した後、ステップＳ３では、押圧部材(61)を回転させて、導線(22)を屈曲させる。
これによって、第１軸部(51)の外径に応じた１つ目の円弧状の角部が形成されることになる。
【００３７】
次に、ステップＳ４の如く、押圧部材(61)を初期位置まで復帰させる。そして、ステップＳ５では、導線(22)を所定距離(単位巻部の短辺の長さ)だけ移送した後、ステップＳ６では、押圧部材(61)を回転させて、導線(22)を屈曲させる。
これによって、第１軸部(51)の外径に応じた２つ目の円弧状の角部が形成されることになる。
【００３８】
次に、ステップＳ７の如く、押圧部材(61)を初期位置まで復帰させる。そして、図１３のステップＳ８では、導線(22)を所定距離(単位巻部の長辺の長さ)だけ移送した後、ステップＳ９では、押圧部材(61)を回転させて、導線(22)を屈曲させる。
これによって、第１軸部(51)の外径に応じた３つ目の円弧状の角部が形成されることになる。
【００３９】
続いて、ステップＳ１０の如く、押圧部材(61)を初期位置まで復帰させる。そして、ステップＳ１１では、導線(22)を所定距離(単位巻部の短辺の長さ)だけ移送した後、ステップＳ１２では、押圧部材(61)を回転させて、導線(22)を屈曲させる。
これによって、第１軸部(51)の外径に応じた４つ目の円弧状の角部が形成され、第１単位巻部(25)が巻回されることになる。
【００４０】
続いて、ステップＳ１３の如く、押圧部材(61)を初期位置まで復帰させる。そして、図１４のステップＳ１４では、導線(22)を所定距離(単位巻部の長辺の長さ)だけ移送した後、ステップＳ１５では、第１往復台(11)と第２往復台(13)を導線(22)の外径に応じた距離だけ後退させる。
次に、ステップＳ１６の如く、第２軸部(52)を上昇させた後、ステップＳ１７では押圧部材(61)を回転させて、導線(22)を屈曲させる。
これによって、第２軸部(52)の外径に応じた１つ目の円弧状の角部が形成されることになる。
【００４１】
続いて、ステップＳ１８の如く、押圧部材(61)を初期位置まで復帰させる。そして、ステップＳ１９では、導線(22)を所定距離(単位巻部の短辺の長さ)だけ移送した後、図１５のステップＳ２０では、押圧部材(61)を回転させて、導線(22)を屈曲させる。
これによって、第２軸部(52)の外径に応じた２つ目の円弧状の角部が形成されることになる。
【００４２】
続いて、ステップＳ２１の如く、押圧部材(61)を初期位置まで復帰させる。そして、ステップＳ２２では、導線(22)を所定距離(単位巻部の長辺の長さ)だけ移送した後、ステップＳ２３では、押圧部材(61)を回転させて、導線(22)を屈曲させる。
これによって、第２軸部(52)の外径に応じた３つ目の円弧状の角部が形成されることになる。
【００４３】
続いて、ステップＳ２４の如く、押圧部材(61)を初期位置まで復帰させる。そして、ステップＳ２５では、導線(22)を所定距離(単位巻部の短辺の長さ)だけ移送した後、図１６のステップＳ２６では、押圧部材(61)を回転させて、導線(22)を屈曲させる。
これによって、第２軸部(52)の外径に応じた４つ目の円弧状の角部が形成され、第２単位巻部(26)が巻回されることになる。
【００４４】
続いて、ステップＳ２７の如く、押圧部材(61)を初期位置まで復帰させる。そして、ステップＳ２８では、導線(22)を所定距離(単位巻部の長辺の長さ)だけ移送した後、ステップＳ２９では、第１往復台(11)と第２往復台(13)を導線(22)の外径に応じた距離だけ後退させる。
次に、ステップＳ３０の如く、第３軸部(53)を上昇させた後、ステップＳ３１では押圧部材(61)を回転させて、導線(22)を屈曲させる。
これによって、第３軸部(53)の外径に応じた１つ目の円弧状の角部が形成されることになる。
【００４５】
以後、同様の動作を繰り返すことによって、第３単位巻部(27)が巻回され、１つ目の単位コイル部(23)が形成されることになる。
そして、次は第３軸部(53)、第２軸部(52)、第１軸部(51)の順に巻き付け軸を変更すると共に、第１往復台(11)と第２往復台(13)を導線(22)の外径に応じた距離だけ前進させつつ、第３単位巻部(27)、第２単位巻部(26)、第１単位巻部(25)の順に巻回して、次の単位コイル部(23)を形成し、この単位コイル部(23)の形成を繰り返すことによって、図１０に示す中間製品(20)が完成することになる。
【００４６】
上述の巻線装置においては、図８に示すガイド板(９)が、単位巻部のリード角に応じた傾斜角度を有しているので、押圧部材(61)を回動させる度に導線(22)にリード角が付与され、１つの単位巻部が形成される度に該単位巻部が１ピッチだけ押し上げられ、図１０に示す如く鉛直上方へ向かって中間製品(20)の巻線が進行する。
【００４７】
上述の様にして得られた中間製品(20)を、図１８(ａ)(ｂ)に示す様に巻き軸方向に圧縮することによって、３層空芯コイルの完成品(21)を得る。該完成品(21)においては、第３単位巻部(27)の内側に第２単位巻部(26)が押し込まれ、該第２単位巻部(26)の内側に第１単位巻部(25)が押し込まれている。
【００４８】
上記の巻線方法及び巻線装置によって作製された中間製品(20)においては、図１１に示す如く、各単位コイル部を構成する第１単位巻部(25)、第２単位巻部(26)及び第３単位巻部(27)は、巻き軸Ｓに対して同じ位相角度に形成される３つの角部が、同じ位置Ｓに曲率中心を有する円弧状に形成されている。
従って、空芯コイル(２)の各角部における単位巻部間の隙間がゼロとなり、導線の占積率が増大することになる。
【００４９】
尚、本発明の各部構成は上記実施の形態に限らず、特許請求の範囲に記載の技術的範囲内で種々の変形が可能である。例えば、導線(22)は丸線に限らず、断面矩形の角線であってもよい。
【符号の説明】
【００５０】
(２)  空芯コイル
(20)  中間製品
(21)  完成品
(22)  導線
(23)  単位コイル部
(25)  第１単位巻部
(26)  第２単位巻部
(27)  第３単位巻部
(１)  ベース
(11)  第１往復台
(12)  回転台
(13)  第２往復台
(３)  導線繰り出し機構
(４)  導線移送機構
(５)  軸体
(51)  第１軸部
(52)  第２軸部
(53)  第３軸部
(６)  曲げ機構
(61)  押圧部材
(62)  モータ
(７)  第１往復駆動機構
(８)  第２往復駆動機構
(９)  ガイド板
Ｓ  巻き軸
【図１】
0005535141.tif 000002
【図２】
0005535141.tif 000003
【図３】
0005535141.tif 000004
【図４】
0005535141.tif 000005
【図５】
0005535141.tif 000006
【図６】
0005535141.tif 000007
【図７】
0005535141.tif 000008
【図８】
0005535141.tif 000009
【図９】
0005535141.tif 000010
【図１０】
0005535141.tif 000011
【図１１】
0005535141.tif 000012
【図１２】
0005535141.tif 000013
【図１３】
0005535141.tif 000014
【図１４】
0005535141.tif 000015
【図１５】
0005535141.tif 000016
【図１６】
0005535141.tif 000017
【図１７】
0005535141.tif 000018
【図１８】
0005535141.tif 000019